(57)【要約】【課題】防塵性能を低下させるような開口や隙間を有しないトッププレートを採用することができ、しかも、部品点数を増やすことなく、トッププレートにクランパを取り付けることの可能なディスク装置を提供する。【解決手段】トッププレート３５を、盲蓋としてのプレート本体３６と、プレート本体３６の内面側に設けたクランパ保持枠２０とによって構成する。クランパ保持枠２０は、クランパ２０の鍔体１２を係止する鍔受部２２と、プレート本体３６と鍔受部２２とを連結している支持部２６とを有する。鍔受部２２を欠円箇所２３を有するリング状に形成し、鍔受部２２の周方向両端部を一対の開閉アーム部２４，２４として形成する。開状態の一対の開閉アーム部２４，２４の相互間を通してクランパ１０の円筒状のスペーサ１３を鍔受部２２の孔部２１に挿入することを可能にする。【選択図】図２
2011123929.tif 000002
【特許請求の範囲】
【請求項１】
ボトムシャーシとこのボトムシャーシに取り付けられたトッププレートとによって構成された筐体と、この筐体に取り付けられたクランパと、上記筐体に内蔵されて上記クランパとの間にディスクを挟持して回転させるターンテーブルと、を備えているディスク装置において、
上記トッププレートが、上記ボトムシャーシの上面開放口を密閉状態に塞ぐ盲蓋としての平板状のプレート本体と、このプレート本体の内面側に設けられて、上記クランパが取り付けられたクランパ保持枠と、を有することを特徴とするディスク装置。
【請求項２】
上記クランパが、上記ターンテーブルに載架されたディスクをそのターンテーブルに押し付ける円板形のディスク押えと、このディスク押えに対向配備された円板形の鍔体と、ディスク押えと鍔体との間に介在されてそれらの対向間隔を規制する円筒状のスペーサと、を備え、
上記クランパ保持枠は、上記クランパのスペーサが遊嵌合された孔部を備えて上記クランパの鍔体を係止する鍔受部と、ディスクが載架された上記ターンテーブルによって上記クランパのディスク押えが持ち上げられたときに上記鍔受部から上記クランパの鍔体が浮き上がることを許容する隙間を、上記プレート本体と上記鍔受部との間に形成する支持部と、を有し、上記鍔受部及び上記支持部が、上記プレート本体と共に一体成形された樹脂成形体でなる請求項１に記載したディスク装置。
【請求項３】
上記クランパ保持枠の鍔受部が欠円箇所を有するリング状に形成され、その鍔受部の周方向両端部が、根元部分に具備された樹脂ヒンジ部を支点として開閉方向に弾性変形可能な一対の開閉アーム部として形成されていると共に、開状態の一対の上記開閉アーム部の相互間を通して上記クランパの円筒状のスペーサをその鍔受部の上記孔部に挿入することが可能に構成されている請求項２に記載したディスク装置。
【請求項４】
上記クランパ保持枠の支持部が、上記クランパの鍔体よりも径大な半円弧形状に形成されてリング状の上記鍔受部に対して同心位置に設けられ、その支持部の周方向両端部のそれぞれを始点として樹脂ヒンジ部を有する上記開閉アーム部が延び出ている請求項３に記載したディスク装置。
【請求項５】
一対の上記開閉アーム部が、上記クランパの円筒状のスペーサの外周面が押し付けられることによって当該開閉アーム部に開き方向の力を発生させるように構成されている請求項４に記載したディスク装置。
【発明の詳細な説明】
【技術分野】
【０００１】
本発明は、ＣＤ（コンパクトディスク）、ＤＶＤ（デジタルバーサタイルディスク）、ＢＤ（ブルーレイディスク）といった円板形のディスクを取り扱うディスク装置、特に、筐体の密閉化を図るための対策が講じられたディスク装置に関する。
【背景技術】
【０００２】
ＣＤ、ＤＶＤ、ＢＤといった円板形のディスクを取り扱うディスク装置は、近時の高性能化に伴って、筐体の密閉化により防塵性能を高め、性能安定性などを向上させることが要求されている。この要求に対処するために、近時のディスク装置では、筐体をボトムシャーシとそのボトムシャーシに取り付けられたトッププレートに分け、トッププレートにボトムシャーシの上面開放口を密閉状態に塞ぐ盲蓋としての機能を付与することが試みられている。
【０００３】
また、ディスク装置では、筐体にターンテーブルや光ピックアップ、その他の光学部品や機構部品などが内蔵されているのに対して、筐体には、ターンテーブルと共働してディスクを挟持するクランパを備えている。
【０００４】
図５は上記した円板形のディスクを取り扱うディスク装置に一般的に採用されているクランパなどを例示した縦断側面図である。同図に例示したクランパ１０は、円板形のディスク押え１１と、このディスク押えに対向配備された円板形の鍔体１２と、ディスク押え１１と鍔体１２との間に介在されてそれらの対向間隔を規制する径小な円筒状のスペーサ１３とを備えている。この構成を有するクランパ１０は、クランパ保持枠２０に一定範囲内で上下動可能に保持されている。このクランパ保持枠２０は、クランパ１０のスペーサ１３が遊嵌合された円形の孔部２１と、この孔部２１の周縁部によって形成された鍔受部２２とを備えている。
【０００５】
図５のようにクランパ保持枠２０に取り付けられたクランパ１０は、ディスク装置に備わっているターンテーブル１００に載架されたディスクＤを、そのターンテーブル１００と共働して挟持する。このようなディスクＤに対する挟持作用は、ターンテーブル１００が、退避位置（不図示）から上動する途中でディスクトレイ（不図示）からディスクＤを受け取った後、クランパ１０のディスク押え１１を持ち上げて当該クランパ１０の鍔体１２をクランパ保持枠２０の鍔受部２２から図示のように浮き上がらせることによって発揮される。そして、ディスクＤに対する挟持力は、たとえばクランパ１０側及びターンテーブル１００側に内蔵されている永久磁石やヨークの吸引作用によって得られるようになっている。なお、図例ではクランパ１０側に永久磁石１４が内蔵されている。図５の状態から、ディスクＤの載架されているターンテーブル１００が退避位置まで下降すると、クランパ１０の鍔体１２がクランパ保持枠２０の鍔受部２２により受け止められて、ディスク押え１１がターンテーブル１００から離れる。
【０００６】
ディスクＤの記録面の光学的処理は、上記のようにクランパ１０と共働してディスクＤを挟持しているターンテーブル１００をディスクＤと共に回転させながら、光ピックアップなど（不図示）の作用を通じて行われる。
【０００７】
上記したように、一般的なディスク装置では、ディスクＤをターンテーブル１００に押し付けてターンテーブルに保持させる手段として、クランパ保持枠２０に上下動可能に保持されるクランパ１０が採用されている。
【０００８】
ところが、筐体に、上記したトッププレートを設けずにボトムシャーシにクランパ保持枠２０を取り付けたり、トッフプレートと共にクランパ保持枠２０を設けたりすると、クランパ保持枠２０の設置箇所にどうしても開口や隙間が形成されて防塵性能が損なわれるというおそれがある。そこで、従来は、そのような開口や隙間をシール片を用いて塞ぐなどの手段を採用して防塵性能が損なわれことを防いでいた。
【０００９】
一方、上記した筐体のトッププレートそのものをクランパ保持枠として利用することが提案されている（たとえば、特許文献１）。ここで掲げた特許文献１では、トップカバー（トッププレートに相当）にクランパカバーを取り付け、そのクランパカバーの内部に上下移動可能なディスクホルダーを保持するクランパー部を配設することが示されている。
【００１０】
また、ターンテーブル自体にチャッキング機能を付与しておき、そのターンテーブルでディスクをチャッキングさせるときに、トップカバー部材に設けた凹部や貫通孔を利用することが提案されている（たとえば、特許文献２参照）。
【先行技術文献】
【特許文献】
【００１１】
【特許文献１】特開２００７−２００３７６号公報（図１〜３、０００８）
【特許文献２】特開２００６−２６０７１９号公報（図１、００１９）
【発明の概要】
【発明が解決しようとする課題】
【００１２】
しかしながら、上記した従来のディスク装置のように、クランパ保持枠やトッププレートに形成されている開口や隙間をシール片で塞ぐという手段を採用して防塵性能の低下を防ぐと、シール片などの余分な部材が必要になり、それだけ組立工程が煩雑になり、コスト高にもなる。
【００１３】
また、特許文献１のように、トップカバーにクランパカバーを取り付けると、クランパカバーが余分に必要になって組立工程の煩雑化やコスト高につながるだけでなく、クランパカバーがトップカバーの上面から突き出るので、トップカバーの上面の平坦性が保たれなくなって外観デザインが損なわれる可能性がある。
【００１４】
本発明は、以上の状況に鑑みてなされたものであり、防塵性能を低下させるような開口や隙間を有しないトッププレートを採用することのできるディスク装置を提供することを目的とする。
【００１５】
また、本発明は、部品点数を増やすことなく、トッププレートにクランパを取り付けることの可能なディスク装置を提供することを目的とする。
【００１６】
さらに、本発明は、トッププレートにクランパを取り付ける構成を採用しているにもかかわらず、トッププレートの上面の平坦性が損なわれることのないディスク装置を提供することを目的とする。
【課題を解決するための手段】
【００１７】
本発明に係るディスク装置は、ボトムシャーシとこのボトムシャーシに取り付けられたトッププレートとによって構成された筐体と、この筐体に取り付けられたクランパと、上記筐体に内蔵されて上記クランパとの間にディスクを挟持して回転させるターンテーブルと、を備えている。そして、上記トッププレートが、上記ボトムシャーシの上面開放口を密閉状態に塞ぐ盲蓋としての平板状のプレート本体と、このプレート本体の内面側に設けられて、上記クランパが取り付けられたクランパ保持枠と、を有する。
【００１８】
この構成を採用すると、クランパやクランパ保持枠が筐体の内部に収容されるために、トッププレートのプレート本体を、防塵性能の低下を来すような開口や隙間を有しない平坦なプレートで構成することができるようになる。その結果、トッププレートのプレート本体に要求される盲蓋としての性能が向上する。また、プレート本体の上面の平坦性がクランパ保持枠などによって損なわれることもない。
【００１９】
本発明では、上記クランパが、上記ターンテーブルに載架されたディスクをそのターンテーブルに押し付ける円板形のディスク押えと、このディスク押えに対向配備された円板形の鍔体と、ディスク押えと鍔体との間に介在されてそれらの対向間隔を規制する円筒状のスペーサと、を備え、上記クランパ保持枠は、上記クランパのスペーサが遊嵌合された孔部を備えて上記クランパの鍔体を係止する鍔受部と、ディスクが載架された上記ターンテーブルによって上記クランパのディスク押えが持ち上げられたときに上記鍔受部から上記クランパの鍔体が浮き上がることを許容する隙間を、上記プレート本体と上記鍔受部との間に形成する支持部と、を有し、上記鍔受部及び上記支持部が、上記プレート本体と共に一体成形された樹脂成形体でなる、という構成を採用することが望ましい。この構成であれば、クランパ保持枠が、別部品としてでなくトッププレートに一体に具備されるために、部品点数を増加させずにトッププレートにクランパを取り付けることが可能になる。
【００２０】
本発明では、上記クランパ保持枠の鍔受部が欠円箇所を有するリング状に形成され、その鍔受部の周方向両端部が、根元部分に具備された樹脂ヒンジ部を支点として開閉方向に弾性変形可能な一対の開閉アーム部として形成されていると共に、開状態の一対の上記開閉アーム部の相互間を通して上記クランパの円筒状のスペーサをその鍔受部の上記孔部に挿入することが可能に構成されている、という構成を採用することが可能である。この構成であれば、クランパ保持枠の一対の開閉アーム部を開き、それらの相互間を通してクランパの円筒状のスペーサをその鍔受部の上記孔部に挿入する、という作業を行うだけでクランパ保持枠を介してトッププレートにクランパを取り付けることが可能になる。
【００２１】
本発明では、上記クランパ保持枠の支持部が、上記クランパの鍔体よりも径大な半円弧形状に形成されてリング状の上記鍔受部に対して同心位置に設けられ、その支持部の周方向両端部のそれぞれを始点として樹脂ヒンジ部を有する上記開閉アーム部が延び出ている、という構成を採用することが可能である。この構成によれば、クランパの円筒状のスペーサを開状態の一対の開閉アーム部の相互間を通して上記鍔受部の孔部に挿入するときに、クランパ保持枠の支持部の内側にクランパの鍔体が無理なく嵌まり込む。
【００２２】
本発明では、一対の上記開閉アーム部が、上記クランパの円筒状のスペーサの外周面が押し付けられることによって当該開閉アーム部に開き方向の力を発生させるように構成されていることが望ましい。この構成であれば、クランパの円筒状のスペーサを開状態の一対の開閉アーム部に押し当てて押し込むだけで、クランパ保持枠にクランパを取り付けることが可能になる。
【発明の効果】
【００２３】
以上のように、本発明によれば、防塵性能を低下させるような開口や隙間を有しないプレート本体を備えたトッププレートを採用することによって、そのトッププレートにボトムシャーシの上面開放口を密閉する盲蓋としての機能を確実に付与することが可能になり、ディスク装置の防塵性能が高まって性能安定性が向上する。また、トッププレートにクランパを取り付ける構成を採用しているにもかかわらず、トッププレートの上面の平坦性が損なわれないので、ディスク装置の外観デザインがトッププレートの上面の凹凸によって損なわれる余地がなくなる。
【００２４】
さらに、本発明によれば、トッププレートのプレート本体の内面側に、そのプレート本体と共に一体成形された樹脂成形体でなるクランパ保持枠を設けることができ、そうすることによって、部品点数を増やすことなく、トッププレートにクランパを取り付けることの可能なディスク装置を提供することが可能になる。
【図面の簡単な説明】
【００２５】
【図１】本発明の実施形態に係るディスク装置の外観斜視図である。
【図２】クランパが取り付けられたトッププレートを裏面側から見て示した一部破断正面図である。
【図３】クランパ保持枠を示した概略斜視図である。
【図４】クランパ保持枠にクランパを組み付けるための工程を説明的に示した平面図である。
【図５】ディスク装置に一般的に採用されているクランパなどを例示した縦断側面図である。
【発明を実施するための形態】
【００２６】
図１は本発明の実施形態に係るディスク装置の外観斜視図である。同図のディスク装置において、筐体３０は、有底箱形のボトムシャーシ３１と、このボトムシャーシ３１に重ね合わされてそのボトムシャーシ３１に備わっている上面開放口（不図示）の全体を密閉状態に塞いでいるトッププレート３５とによって偏平箱形に構成されている。図示していないけれども、筐体３０の内部には、図５に示したターンテーブル１００のほか、光ピックアップなどの光学部品や機構部品などが内蔵されている。また、筐体３０の前壁には、ディスクを筐体３０の内部と外部との間で搬送するディスクトレイの出入口３２が設けられている。図例のディスク装置では、ボトムシャーシ３１にトッププレート３５を固定する手段にビス止め手段が採用されている。
【００２７】
図２はクランパ１０が取り付けられたトッププレート３５を裏面側から見て示した一部破断正面図である。図示のように、トッププレート３５は、矩形のプレート本体３６の裏面の所定位置にクランパ保持枠２０が設けられていて、そのクランパ保持枠２０にクランパ１０が保持されている。クランパ１０には、図５を参照して説明したものと同様の構成のものが採用されている。したがって、クランパ１０の構成についての詳細説明は省略することにする。
【００２８】
図３はクランパ保持枠２０を示した概略斜視図である。また、図４はクランパ保持枠２０にクランパ１０を組み付けるための工程を説明的に示した平面図である。
【００２９】
図３及び図４のように、クランパ保持枠２０は、鍔受部２２と支持部２６とを備えていて、支持部２６の上端面がプレート本体３６に連設されている。図中、支持部２６の上端面に施されているハッチングは、プレート本体３６から切断分離された支持部２６の切断端面を示している。
【００３０】
このクランパ保持枠２０は、トッププレート１０のプレート本体２６と共に一体成形された樹脂成形体でなる。そして、鍔受部２２が、欠円箇所２３を有するリング状に形成されていて、この鍔受部２２によって形成される孔部２１の直径寸法が、図５に示したクランパ１０の円筒状のスペーサ１３の外周直径よりもやゝ径大になっている。鍔受部２２の周方向両端部は、一対の開閉アーム部２４，２４として形成されていて、それらの開閉アーム部２４，２４の根元部分に樹脂ヒンジ部２５，２５が形成されている。樹脂ヒンジ部２５，２５は、鍔受部２２の両端部近傍の２箇所に盗み凹所２５ａを形成してその箇所で鍔受部２２を幅狭に形作ることによって形成されている。また、上記欠円箇所２３の横幅寸法、言い換えると、一対の開閉アーム部２４，２４の相互間隔寸法Ａは、図５に示したクランパ１０の円筒状のスペーサ１３の外周直径寸法よりもやゝ短く定められている。また、これらの開閉アーム部２４，２４は、鍔受部２２と同一の曲率半径を有する円弧状に形成されていて、その幅寸法が、鍔受部２２の幅寸法と同一になっている。
【００３１】
これに対し、支持部２６は、図５に示したクランパ１０の鍔体１２よりもやゝ径大な半円弧形状（１／２円弧形状）に形成されていて、その外周面は上記鍔受部２２の外周端面から面一に連続している。また、この支持部２６は、上記鍔受部２２に対して同心位置に設けられているのであって、当該支持部２６の周方向両端部のそれぞれを始点として樹脂ヒンジ部２５，２５を有する一対の上記開閉アーム部２４，２４が周方向に延び出ている。また、支持部２６は、図５を参照して説明したように、ディスクＤの載架されたターンテーブル１００が、クランパ１０のディスク押え１１を持ち上げて当該クランパ１０の鍔体１２をクランパ保持枠２０の鍔受部２２から浮き上がらせるという動作を行うのに十分な高さ（軸長）を有している。支持部２６の高さをこのように定めておくことにより、ディスクＤが載架されたターンテーブル１００によってクランパ１０のディスク押え１１が持ち上げられたときに、鍔受部２２からクランパ１０の鍔体１２が浮き上がることを許容する隙間が、プレート本体３６と鍔受部２２との間に形成される。
【００３２】
次に、図５に示したものと同一の構成を有するクランパ１０をトッププレート３５に取り付ける工程を図４を参照して説明する。図４のように、この取付工程では、クランパ１０を作業者の手又は治具で掴んでその円筒状のスペーサ１３をクランパ保持枠２０の一対の開閉アーム２４，２４の相互間に押し込むことにより、クランパ１０のスペーサ１３を孔部２１に挿入するという操作が行われる。この操作を行うと、クランパ１０のスペーサ１３が、樹脂ヒンジ部２５，２５の弾力性に抗して一対の開閉アーム部２４，２４を矢印ａ，ａのように押し拡げながらそれらの開閉アーム部２４，２４の相互間に分け入った後、それらの開閉アーム部２４，２４を乗り越えて図中一点鎖線で示したように孔部２１に嵌まり込む。この状態では、クランパ１０の円筒状のスペーサ１３がクランパ保持枠２０の孔部２１に遊嵌合されていると共に、クランパ１０の鍔体１２がクランパ保持枠２０の鍔受部２２に対峙し、クランパ１０から手又は治具を離すと、鍔体１２が鍔受部２２に係止される。また、クランパ保持枠２０の一対の開閉アーム部２４，２４は、樹脂ヒンジ部２５，２５の弾力性によって初期位置に復元してクランパ１０のスペーサ１３が孔部２１から脱落することを防止する。
【００３３】
上記取付工程において、クランパ１０の鍔体１２をプレート本体３６の裏面に押し付けてスライドさせるという操作を通じて、クランパ１０の円筒状のスペーサ１３が一対の開閉アーム２４，２４の相互間に押し込まれるようになっていることが、組立作業性を向上させる上で有益である。したがって、この実施形態では、クランパ１０の鍔体１２をプレート本体３６の裏面に押し付けたときに、クランパ１０のスペーサ１３が一対の開閉アーム２４，２４の相互間の欠円箇所２３に臨むように上記支持部２６の高さを定めてある。
【００３４】
この実施形態では、クランパ保持枠２０の一対の開閉アーム部２４，２４の相互間隔寸法Ａを、クランパ１０の円筒状のスペーサ１３の外周直径寸法よりもやゝ短く定めてある。そのため、一対の上記開閉アーム部２４，２４に、クランパ１０の円筒状のスペーサ１３の外周面が押し付けられることによって当該開閉アーム部２４，２４に開き方向の力が発生する。したがって、上記組立工程で、開閉アーム部２４，２４を開くための特別な操作を行う必要がないという利点がある。
【００３５】
クランパ１０が取り付けられたトッププレート３５は図１のようにボトムシャーシ３１にビス止めなどの適宜手段で固定される。符号Ｆはビス止め箇所を例示している。この固定状態では、トッププレート３５のプレート本体３６（図２参照）が、ボトムシャーシ３１の上面開放口を密閉状態に塞ぐ盲蓋としての機能を発揮する。そのため、ボトムシャーシ３１とトッププレート３５とによって構成されている筐体３０の内部に塵芥などが侵入するという事態が防止され、筐体３０に内蔵されている光学部品や機構部品などが塵芥から防護されてその動作性能の安定性が確保される。また、プレート本体３６自体は、隙間や開口を有しておらず、しかも、その外面が、凹凸を有しない平坦面になっているので、ディスク装置の外観デザインがシンプルになり、その外観デザインがトッププレートの上面の凹凸によって損なわれるといった余地がなくなる。
【００３６】
図５を参照して説明したところと同様に、実施形態のディスク装置では、トッププレート３５のクランパ保持枠２０に取り付けられたクランパ１０が、ターンテーブル１００に載架されているディスクＤをターンテーブル１００と共働して挟持する。すなわち、ターンテーブル１００が、退避位置（不図示）から上動する途中でディスクトレイ（不図示）からディスクＤを受け取った後、クランパ１０のディスク押え１１を持ち上げて当該クランパ１０の鍔体１２をクランパ保持枠２０の鍔受部２２から浮き上がらせる。ディスクＤに対する挟持力は、たとえばクランパ１０側及びターンテーブル１００側に内蔵されている永久磁石やヨークの吸引作用によって得られる。一方、ディスクＤの載架されているターンテーブル１００が退避位置まで下降すると、クランパ１０の鍔体１２がクランパ保持枠２０の鍔受部２２により受け止められて、ディスク押え１１がターンテーブル１００から離れる。ディスクＤの記録面の光学的処理は、上記のようにクランパ１０と共働してディスクＤを挟持しているターンテーブル１００をディスクＤと共に回転させながら光ピックアップなど（不図示）の作用を通じて行われる。
【００３７】
この実施形態では、クランパ１０が図５に示したものと同様の構成を有しているけれども、クランパ１０の構成はそれに限定されない。要するに、筐体に内蔵されているターンテーブルとの間でディスクを挟持する機能を発揮するものであればよく、より具体的には、クランパが、ターンテーブルに載架されたディスクをそのターンテーブルに押し付ける円板形のディスク押えと、このディスク押えに対向配備された円板形の鍔体と、ディスク押えと鍔体との間に介在されてそれらの対向間隔を規制する円筒状のスペーサと、を備えていればよい。
【００３８】
また、クランパ保持枠２０はプレート本体３６の内面側に設けられていればよく、さらに、クランパ保持枠２０は、クランパ１０が取り付けられているものであれば、その構成は図示したものに限定されない。たとえば、クランパ保持枠２０が一対の開閉アーム部２４を有していないものであったとしても、そのクランパ保持枠２０にクランパ１０が取り付けられていればよい。
【００３９】
なお、図１〜図５では、説明の便宜上、同一又は相応する要素に同一符号を付してある。
【符号の説明】
【００４０】
１０  クランパ
１１  ディスク押え
１２  鍔体
１３  スペーサ
２０  クランパ保持枠
２１  孔部
２２  鍔受部
２３  欠円箇所
２４  開閉アーム部
２５  樹脂ヒンジ部
２６  支持部
３０  筐体
３１  ボトムシャーシ
３５  トッププレート
３６  プレート本体
１００  ターンテーブル
Ｄ  ディスク
【図１】
2011123929.tif 000003
【図２】
2011123929.tif 000004
【図３】
2011123929.tif 000005
【図４】
2011123929.tif 000006
【図５】
2011123929.tif 000007